(57)【特許請求の範囲】
【請求項１】
動画像から得た静止画像を記録紙にプリントするデジタル画像処理装置であって、動画記憶手段に圧縮されて記録されている動画像を読み取る動画読取手段と、この動画読取手段により読み取った動画像を静止画像に変換する画像変換手段と、この画像変換手段により得られた静止画像を前記動画記憶手段に記憶されている動画像のコマ数に対応して設定されたコマ数おきに記憶する静止画記憶手段と、この静止画記憶手段に記憶されている複数コマの静止画像を所定のコマ数おきに時系列方向に並べた状態でモニタに表示すると共に、前記静止画記憶手段に記憶されている静止画像のうちの前記所定のコマ数おきには表示されない静止画像で前記モニタに表示された静止画像のうち指定した１の静止画像に基づく静止画像を前記モニタに表示する表示制御手段と、前記モニタに表示された静止画像からプリントすべき所定の静止画像を選択するものであり、前記所定のコマ数おきに表示された静止画像のうちにプリントすべき静止画像が存在する場合、当該表示された静止画像のうちからプリントすべき静止画像を選択すると共に、前記所定のコマ数おきに表示された静止画像のうちにプリントすべき静止画像が存在しない場合、前記指定した１の静止画像に基づく静止画像のうちからプリントすべき静止画像を選択する画像選択手段と、この画像選択手段により選択された静止画像に対応する静止画像であって前記画像変換手段により変換された静止画像を記録紙にプリントするプリント手段とを備えたことを特徴とするデジタル画像処理装置。
【請求項２】
前記表示制御手段は、各静止画像について画像データを間引いた状態で表示するものであることを特徴とする請求項１記載のデジタル画像処理装置。
【請求項３】
前記プリント手段は、前記画像選択手段により選択された静止画像に対応する動画像であって前記動画記憶手段に記憶されている動画像を前記画像変換手段により変換することで得られた静止画像を記録紙にプリントするものであることを特徴とする請求項２記載のデジタル画像処理装置。
【請求項４】
前記モニタに表示された複数コマの静止画像のすべての静止画像に関してプリントを行なう第１のプリントモード及び前記モニタに表示された複数コマの静止画像に関連する１の静止画像のみに関してプリントを行なう第２のプリントモードの何れかのモードを選択するプリントモード選択手段を備え、前記画像選択手段は、前記第２のプリントモードを選択する場合に前記画像変換手段により得られた複数コマの静止画像のうちから１の静止画像を検索する画像検索手段を備えたことを特徴とする請求項１乃至３の何れかに記載のデジタル画像処理装置。
【請求項５】
前記画像検索手段は、前記モニタに所定のコマ数おきに表示された複数コマの静止画像のうち指定した１の静止画像を含む連続する所定コマ数の静止画像を前記モニタに所定のコマ数おきに表示された静止画像よりも大きなサイズに拡大して当該モニタに表示する検索表示制御手段と、この検索表示制御手段の制御動作により拡大表示された所定コマ数の静止画像を前記表示制御手段の制御動作により前記モニタに所定のコマ数おきに表示された複数コマの静止画像の範囲内で順次拡大してコマ送り表示させるコマ送り表示制御手段とを備えたことを特徴とする請求項４記載のデジタル画像処理装置。
【請求項６】
前記画像検索手段は、前記検索表示制御手段の制御動作により拡大表示された所定コマ数の静止画像のうちの１の静止画像をさらに拡大して前記モニタに表示する拡大表示制御手段と、前記画像変換手段により得られた静止画像を時系列方向に順次拡大して所定コマ単位でコマ送り表示させる拡大コマ送り表示制御手段とを備えたことを特徴とする請求項５記載のデジタル画像処理装置。
【請求項７】
動画像から得た静止画像を記録紙にプリントするデジタル画像処理装置であって、動画記憶手段に記録されている動画像を読み取る動画読取手段と、この動画読取手段により読み取った動画像から得た静止画像を前記動画記憶手段に記憶されている動画像のコマ数に対応して設定されたコマ数おきに記憶する静止画記憶手段と、この静止画記憶手段に記憶されている複数コマの静止画像を所定のコマ数おきに時系列方向に並べた状態でモニタに表示すると共に、前記静止画記憶手段に記憶されている静止画像のうちの前記所定のコマ数おきには表示されない静止画像で前記モニタに表示された静止画像のうち指定した１の静止画像に基づく静止画像を前記モニタに表示する表示制御手段と、前記モニタに表示された静止画像からプリントすべき所定の静止画像を選択するものであり、前記モニタに所定のコマ数おきに表示された静止画像のうちにプリントすべき静止画像が存在する場合、当該表示された静止画像のうちからプリントすべき静止画像を選択すると共に、前記所定のコマ数おきに表示された静止画像のうちにプリントすべき静止画像が存在しない場合、前記指定した１の静止画像に基づく静止画像のうちからプリントすべき静止画像を選択する画像選択手段と、この画像選択手段により選択された静止画像に対応する静止画像であって前記動画像から得た静止画像を記録紙にプリントするプリント手段とを備えたことを特徴とするデジタル画像処理装置。
【請求項８】
動画像から得た静止画像を記録紙にプリントするためのデジタル画像処理装置であって、外部から取り込んだ動画像を複数コマの静止画像として記憶する静止画記憶手段と、この静止画記憶手段に記憶されている静止画像を表示するためのモニタと、前記静止画記憶手段に記憶されている複数コマの静止画像を所定のコマ数おきに時系列方向に並べた状態で前記モニタに表示すると共に、前記静止画記憶手段に記憶されている静止画像のうちの前記所定のコマ数おきには表示されない静止画像で前記モニタに表示された静止画像のうち指定した１の静止画像に基づく静止画像を前記モニタに表示する表示制御手段と、前記モニタに表示された静止画像からプリントすべき所定の静止画像を選択するものであり、前記モニタに所定のコマ数おきに表示された静止画像のうちにプリントすべき静止画像が存在する場合、当該表示された静止画像のうちからプリントすべき静止画像を選択すると共に、前記所定のコマ数おきに表示された静止画像のうちにプリントすべき静止画像が存在しない場合、前記指定した１の静止画像に基づく静止画像のうちからプリントすべき静止画像を選択する画像選択手段と、この画像選択手段により選択されたモニタに表示されている静止画像に対応する静止画データをプリントデータとして出力するデータ出力手段とを備えたことを特徴とするデジタル画像処理装置。
【請求項９】
前記動画像は圧縮されたものであって、この圧縮された動画像を複数コマの静止画像に変換する画像変換手段を備え、前記静止画記憶手段は前記画像変換手段により変換された複数コマの静止画像のうち所定の複数コマの静止画像を記憶するものであることを特徴とする請求項８記載のデジタル画像処理装置。
【請求項１０】
前記動画像は外部動画記憶手段に記憶されているものであって、当該外部動画記憶手段に記憶されている動画像を読み取る動画読取手段を備えたことを特徴とする請求項８又は９記載のデジタル画像処理装置。
【請求項１１】
前記データ出力手段から出力されたプリントデータに基づいて静止画像を記録紙にプリントするプリンタを備えたことを特徴とする請求項８乃至１０の何れかに記載のデジタル画像処理装置。
【請求項１２】
動画像から得た静止画像を記録紙にプリントするためのデジタル画像処理方法であって、動画記憶手段に圧縮されて記録されている動画像を動画像読取手段により読み取るステップと、前記動画読取手段により読み取った動画像を画像変換手段により静止画像に変換するステップと、前記画像変換手段により得られた静止画像を制御手段の制御動作により前記動画記憶手段に記憶されている動画像のコマ数に対応して設定されたコマ数おきに静止画記憶手段に記憶させるステップと、前記静止画記憶手段に記憶されている複数コマの静止画像を表示制御手段により所定のコマ数おきに時系列方向に並べた状態でモニタに表示すると共に、前記静止画記憶手段に記憶されている静止画像のうちの前記所定のコマ数おきには表示されない静止画像で前記モニタに表示された静止画像のうち指定した１の静止画像に基づく静止画像を前記表示制御手段によりモニタに表示するステップと、前記モニタに表示された静止画像からプリントすべき所定の静止画像を画像選択手段により選択するステップであり、前記モニタに所定のコマ数おきに表示された静止画像のうちにプリントすべき静止画像が存在する場合、当該表示された静止画像のうちからプリントすべき静止画像を選択すると共に、前記所定のコマ数おきに表示された静止画像のうちにプリントすべき静止画像が存在しない場合、前記指定した１の静止画像に基づく静止画像のうちからプリントすべき静止画像を選択するステップと、前記画像選択手段により選択された静止画像に対応する静止画像であって前記画像変換手段により変換された静止画像をプリント手段により記録紙にプリントするステップとを備えたことを特徴とするデジタル画像処理方法。
【請求項１３】
前記表示制御手段により静止画像を表示するステップでは、各静止画像について画像データを間引いた状態で表示することを特徴とする請求項１２記載のデジタル画像処理方法。
【請求項１４】
前記プリント手段により静止画像をプリントするステップでは、前記画像選択手段により選択された静止画像に対応する動画像であって前記動画記憶手段に記憶されている動画像を前記画像変換手段により変換することで得られた静止画像をプリントすることを特徴とする請求項１３記載のデジタル画像処理方法。
【請求項１５】
動画像から得た静止画像を記録紙にプリントするためのデジタル画像処理方法であって、動画記憶手段に記憶されている動画像を動画像読取手段により読み取るステップと、前記動画読取手段により読み取った動画像から得た静止画像を制御手段の制御動作により前記動画記憶手段に記憶されている動画像のコマ数に対応して設定されたコマ数おきに静止画記憶手段に記憶させるステップと、前記静止画記憶手段に記憶されている複数コマの静止画像を表示制御手段により所定のコマ数おきに時系列方向に並べた状態でモニタに表示すると共に、前記静止画記憶手段に記憶されている静止画像のうちの前記所定のコマ数おきには表示されない静止画像で前記モニタに表示された静止画像のうち指定した１の静止画像に基づく静止画像を前記表示制御手段によりモニタに表示するステップと、前記モニタに表示された静止画像からプリントすべき所定の静止画像を画像選択手段により選択するステップであり、前記モニタに所定のコマ数おきに表示された静止画像のうちにプリントすべき静止画像が存在する場合、当該表示された静止画像のうちからプリントすべき静止画像を選択すると共に、前記所定のコマ数おきに表示された静止画像のうちにプリントすべき静止画像が存在しない場合、前記指定した１の静止画像に基づく静止画像のうちからプリントすべき静止画像を選択するステップと、前記画像選択手段により選択された静止画像に対応する静止画像であって前記動画像から得た静止画像をプリント手段により記録紙にプリントするステップとを備えたことを特徴とするデジタル画像処理方法。
【請求項１６】
動画像から得た静止画像を記録紙にプリントするためのデジタル画像処理方法であって、外部から取り込んだ動画像を複数コマの静止画像として静止画記憶手段に記憶させるステップと、前記静止画記憶手段に記憶されている複数コマの静止画像を表示制御手段により所定のコマ数おきに時系列方向に並べた状態でモニタに表示すると共に、前記静止画記憶手段に記憶されている静止画像のうちの前記所定のコマ数おきには表示されない静止画像で前記モニタに表示された静止画像のうち指定した１の静止画像に基づく静止画像を前記表示制御手段によりモニタに表示するステップと、前記モニタに表示された静止画像からプリントすべき所定の静止画像を画像選択手段により選択するステップであり、前記モニタに所定のコマ数おきに表示された静止画像のうちにプリントすべき静止画像が存在する場合、当該表示された静止画像のうちからプリントすべき静止画像を選択すると共に、前記所定のコマ数おきに表示された静止画像のうちにプリントすべき静止画像が存在しない場合、前記指定した１の静止画像に基づく静止画像のうちからプリントすべき静止画像を選択するステップと、前記画像選択手段により選択されたモニタに表示されている静止画像に対応する静止画データをプリントデータとしてデータ出力手段により出力するステップとを備えたことを特徴とするデジタル画像処理方法。
【請求項１７】
動画像から得た静止画像を記録紙にプリントするためのデジタル画像処理プログラムであって、コンピュータに請求項１２乃至１６の何れかに記載のデジタル画像処理方法における各ステップを実行させるためのデジタル画像処理プログラム。
【発明の詳細な説明】
【０００１】
【発明の属する技術分野】
本発明は、動画像から得た静止画像を記録紙にプリントするデジタル画像処理装置、そのデジタル画像処理装置等に適用されるデジタル画像処理方法及びデジタル画像処理プログラムに関する。
【０００２】
【従来の技術】
近年、ＣＣＤ等の撮像素子の技術開発の進展によりデジタルカメラ（デジタルスチールカメラ）が汎用されるようになってきている。このため、デジタルカメラで撮影したデジタル画像を記録紙にプリントするためのデジタル画像処理装置も種々のものが開発されている。一方、これまでのデジタルカメラでは静止画のみしか撮影することができなかったが、最近では動画を撮影することができるようにしたものも開発されている。このため、動画モードで撮影することにより最適のシャッタチャンスを逃がさないようにすることができ、撮影技術の未熟な人でも必要なシーンの撮り損ねを効果的に防止することが可能となる。
【０００３】
【発明が解決しようとする課題】
しかしながら、従来のデジタル画像処理装置では、画像のファイル形式が異なるためにデジタルカメラで撮影した動画像については任意のコマを静止画像に変換して記録紙にプリントすることができないという問題があった。すなわち、動画像はＭＰＥＧ等の動画ファイル形式が採用され、各コマの画像データは基準となる画像データとの差分だけが存在する圧縮された状態となっているため、そのままでは任意のコマについてプリントすることができないことになる。このため、圧縮された動画像の任意のコマを静止画像に変換して記録紙に記録することができる取り扱いの容易なデジタル画像処理装置の出現が望まれていた。
【０００４】
なお、動画像は各コマの画像データが圧縮されないで全データが取り込まれた状態の連続する静止画像から構成されたものであってもよく、このような動画像の場合であっても取り扱いの容易なデジタル画像処理装置が存在すると静止画像のプリントに対する利便性が高められることになる。
【０００５】
本発明は、このような事情に鑑みてなされたもので、動画像から得た静止画像を記録紙にプリントすることができる取り扱いの容易なデジタル画像処理装置、この取り扱いの容易なデジタル画像処理装置を実現するデジタル画像処理方法及びその処理方法を実行するためのデジタル画像処理プログラムを提供することを目的とする。
【０００６】
【課題を解決するための手段】
上記目的を達成するため、請求項１の発明は、動画像から得た静止画像を記録紙にプリントするデジタル画像処理装置であって、動画記憶手段に圧縮されて記録されている動画像を読み取る動画読取手段と、この動画読取手段により読み取った動画像を静止画像に変換する画像変換手段と、この画像変換手段により得られた静止画像を前記動画記憶手段に記憶されている動画像のコマ数に対応して設定されたコマ数おきに記憶する静止画記憶手段と、この静止画記憶手段に記憶されている複数コマの静止画像を所定のコマ数おきに時系列方向に並べた状態でモニタに表示すると共に、前記静止画記憶手段に記憶されている静止画像のうちの前記所定のコマ数おきには表示されない静止画像で前記モニタに表示された静止画像のうち指定した１の静止画像に基づく静止画像を前記モニタに表示する表示制御手段と、前記モニタに表示された静止画像からプリントすべき所定の静止画像を選択するものであり、前記所定のコマ数おきに表示された静止画像のうちにプリントすべき静止画像が存在する場合、当該表示された静止画像のうちからプリントすべき静止画像を選択すると共に、前記所定のコマ数おきに表示された静止画像のうちにプリントすべき静止画像が存在しない場合、前記指定した１の静止画像に基づく静止画像のうちからプリントすべき静止画像を選択する画像選択手段と、この画像選択手段により選択された静止画像に対応する静止画像であって前記画像変換手段により変換された静止画像を記録紙にプリントするプリント手段とを備えたことを特徴としている。
【０００７】
この構成によれば、圧縮された状態で記録されている動画像からファイル形式を変換することにより得られた静止画像が所定のコマ数おきに時系列方向に並べた状態でモニタに表示されると共に、その所定のコマ数おきには表示されない静止画像でモニタに表示された静止画像のうち指定した１の静止画像に基づく静止画像がモニタに表示されるため、そのモニタを視認することでプリントすべき最適シーン乃至はその近傍シーンの静止画像を容易に選択することができるようになる。このため、取り扱いの容易なデジタル画像処理装置が実現される。なお、ここでいう時系列方向とは、時間の早い側から遅い側に向かう方向であっても、時間の遅い側から早い側に向かう方向であってもよい。また、動画像から得られた静止画像が動画像のコマ数に対応して設定されたコマ数おきに静止画記憶手段に記憶され、しかも静止画記憶手段に記憶されている静止画像が所定のコマ数おきにモニタに表示される。このため、画像処理動作の高速化が図れ、利便性に優れた取り扱いの容易なデジタル画像処理装置が実現される。
【０００８】
また、請求項２の発明は、請求項１に係るものにおいて、前記表示制御手段が、各静止画像について画像データを間引いた状態で表示するものであることを特徴としている。
【０００９】
この構成によれば、各静止画像はそれぞれ画像データが間引かれてデータ量が削減されているため、静止画像をモニタに表示するための画像処理動作を高速化することができる。
【００１０】
また、請求項３の発明は、請求項２に係るものにおいて、前記プリント手段が、前記画像選択手段により選択された静止画像に対応する動画像であって前記動画記憶手段に記憶されている動画像を前記画像変換手段により変換することで得られた静止画像を記録紙にプリントするものであることを特徴としている。
【００１１】
この構成によれば、動画記憶手段から読み出した動画像を画像変換手段により変換することにより得られた静止画像が記録紙にプリントされるため、画像データの間引かれていない鮮明な静止画像がプリントされる。
【００１２】
また、請求項４の発明は、請求項１乃至３の何れかに係るものにおいて、前記モニタに表示された複数コマの静止画像のすべての静止画像に関してプリントを行なう第１のプリントモード及び前記モニタに表示された複数コマの静止画像に関連する１の静止画像のみに関してプリントを行なう第２のプリントモードの何れかのモードを選択するプリントモード選択手段を備え、前記画像選択手段は、前記第２のプリントモードを選択する場合に前記画像変換手段により得られた複数コマの静止画像のうちから１の静止画像を検索する画像検索手段を備えたことを特徴としている。
【００１３】
この構成によれば、第１のプリントモードが選択されたときはモニタに表示されている静止画像のすべてが記録紙にプリントされ、第２のプリントモードが選択されたときはモニタに表示されているプリントすべき１の静止画像が記録紙にプリントされる。このため、プリントすべき静止画像の選択幅が広がる結果、利便性に優れたデジタル画像処理装置が実現される。
【００１４】
また、請求項５の発明は、請求項４に係るものにおいて、前記画像検索手段が、前記モニタに所定のコマ数おきに表示された複数コマの静止画像のうち指定した１の静止画像を含む連続する所定コマ数の静止画像を前記モニタに所定のコマ数おきに表示された静止画像よりも大きなサイズに拡大して当該モニタに表示する検索表示制御手段と、この検索表示制御手段の制御動作により拡大表示された所定コマ数の静止画像を前記表示制御手段の制御動作により前記モニタに所定のコマ数おきに表示された複数コマの静止画像の範囲内で順次拡大してコマ送り表示させるコマ送り表示制御手段とを備えたことを特徴としている。
【００１５】
この構成によれば、指定した１の静止画像を含む連続する所定コマ数の静止画像が拡大表示されるので静止画像の視認が容易となる一方、順次コマ送り表示されるので静止画像が多数コマあってもプリントすべき１の静止画像の検索を確実に行うことができる。このため、利便性に優れた取り扱いの容易なデジタル画像処理装置が実現される。
【００１６】
また、請求項６の発明は、請求項５に係るものにおいて、前記画像検索手段が、前記検索表示制御手段の制御動作により拡大表示された所定コマ数の静止画像のうちの１の静止画像をさらに拡大して前記モニタに表示する拡大表示制御手段と、前記画像変換手段により得られた静止画像を時系列方向に順次拡大して所定コマ単位でコマ送り表示させる拡大コマ送り表示制御手段とを備えたことを特徴としている。
【００１７】
この構成によれば、１の静止画像がさらに拡大表示されるので、モニタに表示された静止画像の視認がより容易となる一方、画像変換手段により得られた静止画像が時系列方向に順次拡大されて所定コマ単位（例えば、１コマ単位）で表示されるので必要とする最適シーンにより近いシーンの静止画像が確実に検索されることになる。このため、取り扱いの容易な利便性に優れたデジタル画像処理装置が実現される。なお、ここでいう時系列方向とは、時間の早い側から遅い側へ向かう方向であっても、時間の遅い側から早い側へ向かう方向であってもよい。
【００１８】
また、請求項７の発明は、動画像から得た静止画像を記録紙にプリントするデジタル画像処理装置であって、動画記憶手段に記録されている動画像を読み取る動画読取手段と、この動画読取手段により読み取った動画像から得た静止画像を前記動画記憶手段に記憶されている動画像のコマ数に対応して設定されたコマ数おきに記憶する静止画記憶手段と、この静止画記憶手段に記憶されている複数コマの静止画像を所定のコマ数おきに時系列方向に並べた状態でモニタに表示すると共に、前記静止画記憶手段に記憶されている静止画像のうちの前記所定のコマ数おきには表示されない静止画像で前記モニタに表示された静止画像のうち指定した１の静止画像に基づく静止画像を前記モニタに表示する表示制御手段と、前記モニタに表示された静止画像からプリントすべき所定の静止画像を選択するものであり、前記モニタに所定のコマ数おきに表示された静止画像のうちにプリントすべき静止画像が存在する場合、当該表示された静止画像のうちからプリントすべき静止画像を選択すると共に、前記所定のコマ数おきに表示された静止画像のうちにプリントすべき静止画像が存在しない場合、前記指定した１の静止画像に基づく静止画像のうちからプリントすべき静止画像を選択する画像選択手段と、この画像選択手段により選択された静止画像に対応する静止画像であって前記動画像から得た静止画像を記録紙にプリントするプリント手段とを備えたことを特徴としている。
【００１９】
この構成によれば、動画像から得た静止画像が所定のコマ数おきに時系列方向に並べた状態でモニタに表示されると共に、その所定のコマ数おきには表示されない静止画像でモニタに表示された静止画像のうち指定した１の静止画像に基づく静止画像がモニタに表示されるため、そのモニタを視認することでプリントすべき最適シーン乃至はその近傍シーンの静止画像を容易に選択することができるようになる。このため、取り扱いの容易なデジタル画像処理装置が実現される。なお、ここでいう時系列方向とは、時間の早い側から遅い側に向かう方向であっても、時間の遅い側から早い側に向かう方向であってもよい。また、動画像から得られた静止画像が動画像のコマ数に対応して設定されたコマ数おきに静止画記憶手段に記憶され、しかも静止画記憶手段に記憶されている静止画像が所定のコマ数おきにモニタに表示される。このため、画像処理動作の高速化が図れ、利便性に優れた取り扱いの容易なデジタル画像処理装置が実現される。
【００２０】
また、請求項８の発明は、動画像から得た静止画像を記録紙にプリントするためのデジタル画像処理装置であって、外部から取り込んだ動画像を複数コマの静止画像として記憶する静止画記憶手段と、この静止画記憶手段に記憶されている静止画像を表示するためのモニタと、前記静止画記憶手段に記憶されている複数コマの静止画像を所定のコマ数おきに時系列方向に並べた状態で前記モニタに表示すると共に、前記静止画記憶手段に記憶されている静止画像のうちの前記所定のコマ数おきには表示されない静止画像で前記モニタに表示された静止画像のうち指定した１の静止画像に基づく静止画像を前記モニタに表示する表示制御手段と、前記モニタに表示された静止画像からプリントすべき所定の静止画像を選択するものであり、前記モニタに所定のコマ数おきに表示された静止画像のうちにプリントすべき静止画像が存在する場合、当該表示された静止画像のうちからプリントすべき静止画像を選択すると共に、前記所定のコマ数おきに表示された静止画像のうちにプリントすべき静止画像が存在しない場合、前記指定した１の静止画像に基づく静止画像のうちからプリントすべき静止画像を選択する画像選択手段と、この画像選択手段により選択されたモニタに表示されている静止画像に対応する静止画データをプリントデータとして出力するデータ出力手段とを備えたことを特徴としている。
【００２１】
この構成によれば、動画像から得た静止画像が所定のコマ数おきに時系列方向に並べた状態でモニタに表示されると共に、その所定のコマ数おきには表示されない静止画像でモニタに表示された静止画像のうち指定した１の静止画像に基づく静止画像がモニタに表示されるため、そのモニタを視認することでプリントすべき最適シーン乃至はその近傍シーンの静止画像を容易に選択することができるようになる。このため、取り扱いの容易なデジタル画像処理装置が実現される。なお、ここでいう時系列方向とは、時間の早い側から遅い側に向かう方向であっても、時間の遅い側から早い側に向かう方向であってもよい。また、動画像が複数コマの静止画像として静止画記憶手段に記憶され、しかも静止画記憶手段に記憶されている静止画像が所定のコマ数おきにモニタに表示される。このため、画像処理動作の高速化が図れ、利便性に優れた取り扱いの容易なデジタル画像処理装置が実現される。
【００２２】
また、請求項９の発明は、請求項８に係るものにおいて、前記動画像が圧縮されたものであって、この圧縮された動画像を複数コマの静止画像に変換する画像変換手段を備え、前記静止画記憶手段は前記画像変換手段により変換された複数コマの静止画像のうち所定の複数コマの静止画像を記憶するものであることを特徴としている。
【００２３】
この構成によれば、圧縮された状態で記録されている動画像からファイル形式を変換することにより得られた複数コマの静止画像のうち所定の複数コマの静止画像が静止画記憶手段に記憶される。このため、静止画記憶手段として必要以上に大きな記憶容量のものを用いる必要がなくなる。
【００２４】
また、請求項１０の発明は、請求項８又は９に係るものにおいて、前記動画像が外部動画記憶手段に記憶されているものであって、当該外部動画記憶手段に記憶されている動画像を読み取る動画読取手段を備えたことを特徴としている。
【００２５】
この構成によれば、外部動画記憶手段に記憶されている動画像が読み取られて複数コマの静止画像に変換される。このため、外部動画記憶手段に記憶されている動画像を確実に取り込むことができる。
【００２６】
また、請求項１１の発明は、請求項８乃至１０のいずれかに係るものにおいて、前記データ出力手段から出力されたプリントデータに基づいて静止画像を記録紙にプリントするプリンタを備えたことを特徴としている。
【００２７】
この構成によれば、データ出力手段から出力されたプリントデータに基づいて静止画像が記録紙にプリントされる。このため、モニタ上で選択した静止画像を確実に記録紙にプリントすることができる。
【００２８】
また、請求項１２の発明は、動画像から得た静止画像を記録紙にプリントするためのデジタル画像処理方法であって、動画記憶手段に圧縮されて記録されている動画像を動画像読取手段により読み取るステップと、前記動画読取手段により読み取った動画像を画像変換手段により静止画像に変換するステップと、前記画像変換手段により得られた静止画像を制御手段の制御動作により前記動画記憶手段に記憶されている動画像のコマ数に対応して設定されたコマ数おきに静止画記憶手段に記憶させるステップと、前記静止画記憶手段に記憶されている複数コマの静止画像を表示制御手段により所定のコマ数おきに時系列方向に並べた状態でモニタに表示すると共に、前記静止画記憶手段に記憶されている静止画像のうちの前記所定のコマ数おきには表示されない静止画像で前記モニタに表示された静止画像のうち指定した１の静止画像に基づく静止画像を前記表示制御手段によりモニタに表示するステップと、前記モニタに表示された静止画像からプリントすべき所定の静止画像を画像選択手段により選択するステップであり、前記モニタに所定のコマ数おきに表示された静止画像のうちにプリントすべき静止画像が存在する場合、当該表示された静止画像のうちからプリントすべき静止画像を選択すると共に、前記所定のコマ数おきに表示された静止画像のうちにプリントすべき静止画像が存在しない場合、前記指定した１の静止画像に基づく静止画像のうちからプリントすべき静止画像を選択するステップと、前記画像選択手段により選択された静止画像に対応する静止画像であって前記画像変換手段により変換された静止画像をプリント手段により記録紙にプリントするステップとを備えたことを特徴としている。
【００２９】
この方法によれば、動画記憶手段から圧縮された状態の動画像が読み取られ、この読み取られた動画像からファイル形式を変換することにより得られた静止画像が所定のコマ数おきに時系列方向に並べた状態でモニタに表示されると共に、その所定のコマ数おきには表示されない静止画像でモニタに表示された静止画像のうち指定した１の静止画像に基づく静止画像がモニタに表示されるため、そのモニタを視認することでプリントすべき最適シーン乃至はその近傍シーンの静止画像を容易に選択することができるようになる。なお、ここでいう時系列方向とは、時間の早い側から遅い側に向かう方向であっても、時間の遅い側から早い側に向かう方向であってもよい。また、動画像から得られた静止画像が動画像のコマ数に対応して設定されたコマ数おきに静止画記憶手段に記憶され、しかも静止画記憶手段に記憶されている静止画像が所定のコマ数おきにモニタに表示される。このため、画像処理動作の高速化が図れ、利便性に優れると共に、取り扱いが容易となる。
【００３０】
また、請求項１３の発明は、請求項１２に係る方法において、前記表示制御手段により静止画像を表示するステップでは、各静止画像について画像データを間引いた状態で表示することを特徴としている。
【００３１】
この方法によれば、各静止画像はそれぞれ画像データが間引かれてデータ量が削減されているため、静止画像をモニタに表示するための画像処理動作を高速化することができる。
【００３２】
また、請求項１４の発明は、請求項１３に係る方法において、前記プリント手段により静止画像をプリントするステップでは、前記画像選択手段により選択された静止画像に対応する動画像であって前記動画記憶手段に記憶されている動画像を前記画像変換手段により変換することで得られた静止画像をプリントすることを特徴としている。
【００３３】
この方法によれば、動画記憶手段から読み出した動画像を画像変換手段により変換することにより得られた静止画像が記録紙にプリントされるため、画像データの間引かれていない鮮明な静止画像がプリントされる。
【００３４】
また、請求項１５の発明は、動画像から得た静止画像を記録紙にプリントするためのデジタル画像処理方法であって、動画記憶手段に記憶されている動画像を動画像読取手段により読み取るステップと、前記動画読取手段により読み取った動画像から得た静止画像を制御手段の制御動作により前記動画記憶手段に記憶されている動画像のコマ数に対応して設定されたコマ数おきに静止画記憶手段に記憶させるステップと、前記静止画記憶手段に記憶されている複数コマの静止画像を表示制御手段により所定のコマ数おきに時系列方向に並べた状態でモニタに表示すると共に、前記静止画記憶手段に記憶されている静止画像のうちの前記所定のコマ数おきには表示されない静止画像で前記モニタに表示された静止画像のうち指定した１の静止画像に基づく静止画像を前記表示制御手段によりモニタに表示するステップと、前記モニタに表示された静止画像からプリントすべき所定の静止画像を画像選択手段により選択するステップであり、前記モニタに所定のコマ数おきに表示された静止画像のうちにプリントすべき静止画像が存在する場合、当該表示された静止画像のうちからプリントすべき静止画像を選択すると共に、前記所定のコマ数おきに表示された静止画像のうちにプリントすべき静止画像が存在しない場合、前記指定した１の静止画像に基づく静止画像のうちからプリントすべき静止画像を選択するステップと、前記画像選択手段により選択された静止画像に対応する静止画像であって前記動画像から得た静止画像をプリント手段により記録紙にプリントするステップとを備えたことを特徴としている。
【００３５】
この方法によれば、動画記憶手段から動画像が読み取られ、この読み取られた動画像から得た静止画像が所定のコマ数おきに時系列方向に並べた状態でモニタに表示されると共に、その所定のコマ数おきには表示されない静止画像でモニタに表示された静止画像のうち指定した１の静止画像に基づく静止画像がモニタに表示されるため、そのモニタを視認することでプリントすべき最適シーン乃至はその近傍シーンの静止画像を容易に選択することができるようになる。なお、ここでいう時系列方向とは、時間の早い側から遅い側に向かう方向であっても、時間の遅い側から早い側に向かう方向であってもよい。また、動画像から得た静止画像が動画像のコマ数に対応して設定されたコマ数おきに静止画記憶手段に記憶され、しかも静止画記憶手段に記憶されている静止画像が所定のコマ数おきにモニタに表示される。このため、画像処理動作の高速化が図れ、利便性に優れると共に、取り扱いが容易となる。
【００３６】
また、請求項１６の発明は、動画像から得た静止画像を記録紙にプリントするためのデジタル画像処理方法であって、外部から取り込んだ動画像を複数コマの静止画像として静止画記憶手段に記憶させるステップと、前記静止画記憶手段に記憶されている複数コマの静止画像を表示制御手段により所定のコマ数おきに時系列方向に並べた状態でモニタに表示すると共に、前記静止画記憶手段に記憶されている静止画像のうちの前記所定のコマ数おきには表示されない静止画像で前記モニタに表示された静止画像のうち指定した１の静止画像に基づく静止画像を前記表示制御手段によりモニタに表示するステップと、前記モニタに表示された静止画像からプリントすべき所定の静止画像を画像選択手段により選択するステップであり、前記モニタに所定のコマ数おきに表示された静止画像のうちにプリントすべき静止画像が存在する場合、当該表示された静止画像のうちからプリントすべき静止画像を選択すると共に、前記所定のコマ数おきに表示された静止画像のうちにプリントすべき静止画像が存在しない場合、前記指定した１の静止画像に基づく静止画像のうちからプリントすべき静止画像を選択するステップと、前記画像選択手段により選択されたモニタに表示されている静止画像に対応する静止画データをプリントデータとしてデータ出力手段により出力するステップとを備えたことを特徴としている。
【００３７】
この方法によれば、動画像から得た静止画像が所定のコマ数おきに時系列方向に並べた状態でモニタに表示されると共に、静止画記憶手段に記憶されている静止画像のうちの前記所定のコマ数おきには表示されない静止画像で前記モニタに表示された静止画像のうち指定した１の静止画像に基づく静止画像がモニタに表示されるため、そのモニタを視認することでプリントすべき最適シーン乃至はその近傍シーンの静止画像を容易に選択することができるようになる。なお、ここでいう時系列方向とは、時間の早い側から遅い側に向かう方向であっても、時間の遅い側から早い側に向かう方向であってもよい。また、動画像から得た静止画像が動画像のコマ数に対応して設定されたコマ数おきに静止画記憶手段に記憶され、しかも静止画記憶手段に記憶されている静止画像が所定のコマ数おきにモニタに表示される。このため、画像処理動作の高速化が図れ、利便性に優れると共に、取り扱いが容易となる。
【００３８】
また、請求項１７の発明は、動画像から得た静止画像を記録紙にプリントするためのデジタル画像処理プログラムであって、コンピュータに請求項１２乃至１６の何れかに記載のデジタル画像処理方法における各ステップを実行させるようにしたことを特徴としている。
【００３９】
このデジタル画像処理プログラムによれば、動画像から得られた静止画像がモニタに表示されるため、そのモニタを視認することでプリントすべき静止画像を容易に選択することができるようになる。
【００４０】
【発明の実施の形態】
図１は、本発明の一実施形態に係るデジタル画像処理方法が適用されるデジタル画像処理装置の概略構成を示す図である。この図において、デジタル画像処理装置１０は、デジタルカメラで撮影された動画像の圧縮された所定のコマを静止画像に変換して記録紙にプリントする、所謂デジタル写真処理機であり、筐体１２の上面にサイズの異なる印画紙等の帯状の感光材Ｐ１，Ｐ２が巻装された２個のマガジン１４１，１４２が搭載されてなる感光材供給部１４と、筐体１２の内部における図中の左方に配設された画像処理部１６と、図中の右方に配設された現像処理部１８と、筐体１２の上面に配設された乾燥処理部２０と、筐体１２の内部における画像処理部１６の近傍位置に配設された制御部２２と、筐体１２の外部に配設された操作部２４とを備えている。なお、画像処理部１６、現像処理部１８及び乾燥処理部２０は静止画像を感光材に対しプリントするプリンタ２６を構成する。
【００４１】
感光材供給部１４は、２個のマガジン１４１，１４２から帯状の感光材Ｐ１，Ｐ２が選択的に引き出し可能に構成されており、何れか一方のマガジン１４１，１４２から引き出された感光材Ｐ１，Ｐ２が第１の搬送路１４３に沿って下流側に搬送され、第１の搬送路１４３の終端に配設されたカッター１４４により所定長さに切断されるようになっている。
【００４２】
画像処理部１６は、カッター１４４により所定長さに切断されたカット材Ｐ３に対して露光するものであり、ＲＧＢの三原色のレーザビームを出力する３つのレーザ発生部、レーザ発生部から出力されたレーザ光を変調する光変調素子、変調されたレーザ光をカット材Ｐ３上の所定位置に導くポリゴンミラー等を備えたものである。この画像処理部１６には、第２の搬送路１６１を備えており、露光前のカット材Ｐ３を露光位置に搬送すると共に、露光済みのカット材Ｐ３を現像処理部１８に搬送する。
【００４３】
現像処理部１８は、現像液、定着液、漂白液及び安定化液が個別に収容される複数の処理タンク１８１，１８２，１８３，１８４を備えており、第２の搬送路１６１により搬送されてきた露光済みのカット材Ｐ３を各処理タンク１８１乃至１８４内を通過させることで現像処理するものである。この現像処理部１８には、第３の搬送路１８５を備えており、現像処理されたカット材Ｐ３を乾燥処理部２０に搬送する。
【００４４】
乾燥処理部２０は、第３の搬送路１８５により搬送されてきた現像処理済みのカット材Ｐ３を例えば温風乾燥するものである。この乾燥処理部２０で乾燥処理されたカット材Ｐ３は、上下方向に配列されたトレー２０１上に順次排出されるようになっている。
【００４５】
制御部２２は、画像データの処理やレーザ発生部の処理等の装置の全体の動作を制御するものである。操作部２４は、制御部２２に接続され、画像処理部１６の画像処理条件等の種々の処理条件を設定するための画面等を表示するモニタ２４１と、処理条件等を入力設定するためのキーボードやマウス等の入力部２４２と、装着部２４３に装着された外部記録媒体に記録されている画像データを読み取る読取部２４５（図２）及び装着部２４３に装着された外部記録媒体に画像データを書き込む書込部２４６（図２）を有する記録媒体駆動部２４４とを備えている。
【００４６】
図２は、制御部２２における画像データの処理動作を説明するための制御ブロック図である。この図において、制御部２２は、演算処理を実行するＣＰＵ、処理プログラムや各種データを記憶するＲＯＭ及び処理データを一時的に保存するＲＡＭから構成されている。
【００４７】
この制御部２２には、モニタ２４１、入力部２４２及び記録媒体駆動部２４４の他に、記録媒体駆動部２４４の読取部２４５で読み取られた圧縮された状態の動画像を記憶する内部の動画記憶手段である動画メモリ２２１、この動画メモリ２２１から読み出した動画像のファイル形式を変換して解凍することにより得られた静止画像を記憶する静止画メモリ２２２、この静止画メモリ２２２に記憶されている静止画像のうちのモニタ２４１に表示するための静止画像を記憶する画像表示メモリ２２３、記録紙にプリントすべき静止画像を記憶するためのプリントデータメモリ２２４等が接続されている。これら各メモリ２２１乃至２２４は、ＥＥＰＲＯＭ等の電気的に書き換え可能なメモリで構成されたものである。また、記録媒体駆動部２４４は、外部記憶媒体に記録されている画像データ（動画データ）を読み取る読取部２４５及び画像処理された画像データ（静止画データ）を外部記憶媒体に書き込む書込部２４６を備えている。
【００４８】
また、制御部２２には、動画読取制御部２２ａ、表示間隔決定部２２ｂ、ファイル形式変換部２２ｃ、表示制御部２２ｄ、画像選択制御部２２ｅ、プリントモード選択制御部２２ｆ、プリント制御部２２ｇ、記録モード選択制御部２２ｈ及びデータ書込制御部２２ｉの各機能実現部を備えている。また、画像選択制御部２２ｅには、画像検索制御部２２ｊとしての機能実現部を備え、この画像検索制御部２２ｊには、検索表示制御部２２ｋ、コマ送り表示制御部２２ｍ、拡大表示制御部２２ｎ及び拡大コマ送り表示制御部２２ｐとしての各機能実現部を備えている。また、プリント制御部２２ｇには、プリントデータ出力制御部２２ｑとしての機能実現部を備えている。
【００４９】
動画読取制御部２２ａは、記録媒体駆動部２４４の記録媒体装着部２４３に外部の動画記憶手段である記録媒体が装着されたとき、その記録媒体に記録されている動画像（動画像データ）を読取部２４５に読み取らせるものである。この読取部２４５により読み取られた動画像は動画メモリ２２１に記録される。この動画読取制御部２２ａは、動画メモリ２２１に記録された動画像の読み出し動作制御も実行する。
【００５０】
表示間隔決定部２２ｂは、読取部２４５により読み取られた動画像の再生時間（動画像のコマ数）に対応して静止画メモリ２２２に記憶させる静止画像の間引き数を決定するものである。本実施形態では、静止画メモリ２２２に記憶させる静止画像のコマ数を予め設定（例えば、１００コマに設定）するようにしているため、この静止画メモリ２２２に記憶させるコマ数と動画像のコマ数とから静止画像の間引き数を求めるようにしている。このため、動画像の再生時間（動画像のコマ数）が長い場合はコマの間引き数が多くなり、短い場合はコマの間引き数が少なくなる。
【００５１】
このように途中のコマを間引いて所定のコマ数おきに静止画像を記憶させるようにしているのは、動画像の全コマ数に対応する静止画像を記憶させるようにした場合は大容量のメモリが必要になると共に、モニタ２４１に表示するための画像処理時間等が長くなるためである。なお、途中のコマを間引いても元の各コマの画像は連続しているため、必要とする最適シーンが存在しない場合でも最適シーンの近傍シーンは必ず存在することから実用上何ら問題はない。すなわち、間引きするコマ数が多くなっても、必要とする最適シーンと近傍シーンとの間に違和感がなければ、近傍シーンを最適シーンとすることができる。
【００５２】
ファイル形式変換部２２ｃは、圧縮された動画像を解凍して静止画像に変換する画像変換部を構成するものであり、読取部２４５で読み取られて動画メモリ２２１に記憶されている動画像をＭＰＥＧ等の動画ファイル形式からＪＰＥＧ等の静止画ファイル形式に変換することにより複数コマの静止画像を得るものである。この静止画ファイル形式に変換された複数コマの静止画像はそれぞれ時間情報（時系列情報）を含んだ状態で静止画メモリ２２２に記憶される。
【００５３】
なお、本実施形態では、ファイル形式変換部２２ｃにより動画像の全コマが復号化されて静止画像に変換されるようになっているが、上述のように静止画メモリ２２２には所定間隔で所定数のコマが間引かれた静止画像が記憶される。また、静止画メモリ２２２には、各コマ毎に所定の画像データが間引かれた状態の静止画像が記憶されるようになっている。すなわち、動画像の全コマから復号化されて得られた静止画像のうち、静止画メモリ２２２に記憶する各静止画像について制御部２２による所定の画像データの間引き処理が行なわれる。このように画像データの間引き処理が行なわれることにより、コマが間引かれることと相俟って静止画メモリ２２２の小容量化が促進されると共に画像処理動作の高速化が促進される。
【００５４】
表示制御部２２ｄは、ファイル形式変換部２２ｃにより静止画ファイル形式に変換することにより得られた複数コマの静止画像をモニタ２４１に時系列方向に並んだ状態で表示させるものである。この表示制御部２２ｄは、本実施形態では静止画メモリ２２２に記憶されているすべての静止画像を表示させるのではなく、予め設定された所定コマ数（例えば、２５コマ）の静止画像のみを表示させるようにしている。このため、表示制御部２２ｄは、表示制御動作時に静止画メモリ２２２に記憶されている静止画像のコマ数（例えば、１００コマ）とモニタ２４１に表示するコマ数（例えば、２５コマ）とからコマの間引き数を求め、この求めた間引き数に基づき静止画メモリ２２２から所定のコマ数おきに静止画像を読み出してモニタ２４１への表示を行なう。なお、この表示制御部２２ｄは、モニタ２４１等と共に表示制御手段を構成する。
【００５５】
画像選択制御部２２ｅは、モニタ２４１に時系列方向に並べて表示された複数コマ（例えば、２５コマ）の静止画像のうちからプリントすべき１の静止画像が選択されるようにしたものである。すなわち、モニタ２４１に表示されている１の静止画像をキーボードやマウス等の入力部２４２で指定することによってプリントすべき静止画像が選択されるようになっている。なお、この画像選択制御部２２ｅは、入力部２４２と共に画像選択手段を構成する。
【００５６】
プリントモード選択制御部２２ｆは、表示制御部２２ｄの制御動作によりモニタ２４１に表示されている複数コマ（例えば、２５コマ）の静止画像のすべてを各静止画像毎にプリントする第１のプリントモード、及び、表示制御部２２ｄの制御動作によりモニタ２４１に表示されている複数コマ（例えば、２５コマ）の静止画像に関連する１の静止画像のみに関してプリントを行なう第２のプリントモードの何れかを選択するものである。
【００５７】
この第２のプリントモードでは、表示制御部２２ｄの制御動作によりモニタ２４１に表示されている複数コマ（例えば、２５コマ）の静止画像のうちの１の静止画像のみをプリントする場合、及び、表示制御部２２ｄの制御動作によりモニタ２４１に表示されている複数コマ（例えば、２５コマ）の静止画像のうちの１の静止画像に基づいて検索された１の静止画像であって、表示制御部２２ｄの制御動作によってはモニタ２４１に表示されていない静止画像（すなわち、静止画メモリ２２２に記憶されている静止画像（例えば、１００コマの静止画像）のうちのモニタ２４１に表示される静止画像（例えば、２５コマ）を除いた静止画像）をプリントする場合のいずれかが選択される。
【００５８】
なお、本実施形態では、入力部２４２の操作により何れかのモードを選択するようになっている。このため、このプリントモード選択制御部２２ｆは、入力部２４２等と共にプリントモード選択手段を構成する。
【００５９】
プリント制御部２２ｇは、画像選択制御部２２ｅにより選択された静止画像であってプリントデータメモリ２２４に記憶されている記録紙にプリントすべき静止画像に対応する静止画データを読み出すと共に、この静止画データをプリントデータとして画像処理部１６へ出力し、画像処理部１６、現像処理部１８及び乾燥処理部２０を動作させることにより入力された静止画データに基づいて静止画像をカット材Ｐ３（図１）へプリントするようにしたものである。なお、このプリント制御部２２ｇは、プリンタ２６を構成する画像処理部１６、現像処理部１８及び乾燥処理部２０と共にプリント手段を構成する。
【００６０】
記録モード選択制御部２２ｈは、入力部２４２や画像選択制御部２２ｅ等により選択された静止画像をカット材Ｐ３（図１）へプリントする第１の記録モード、及び、入力部２４２や画像選択制御部２２ｅ等により選択された静止画像であってカット材Ｐ３へプリントすべき静止画像を記録媒体駆動部２４４の装着部２４３に装着された外部記憶媒体に書き込む第２の記録モードの何れかのモードを選択するものである。なお、本実施形態では、入力部２４２を操作することで何れかのモードを選択するようになっている。このため、この記録モード選択制御部２２ｈは、入力部２４２等と共に記録モード選択手段を構成する。
【００６１】
データ書込制御部２２ｉは、入力部２４２や記録モード選択制御部２２ｈ等により第２の記録モードが選択された場合に、本来はカット材Ｐ３へプリントすべき静止画像を記録媒体駆動部２４４の書込部２４６を動作させることによって記録媒体駆動部２４４の装着部２４３に装着された外部記憶媒体に書き込むようにするものである。なお、このデータ書込制御部２２ｉは、記録媒体駆動部２４４の書込部２４６等と共にデータ書込手段を構成する。
【００６２】
画像検索制御部２２ｊは、プリントモード選択制御部２２ｆの制御動作により第２のプリントモードが選択された場合に、表示制御部２２ｄの制御動作によりモニタ２４１に表示されている複数コマ（例えば、２５コマ）の静止画像のうちの１の静止画像をキー画像とし、ファイル形式変換部２２ｃにより変換されることにより得られた複数コマの静止画像のうちで静止画メモリ２２２に記憶されている静止画像（例えば、１００コマの静止画像）のうちから１の静止画像を検索するものである。
【００６３】
すなわち、表示制御部２２ｄの制御動作によりモニタ２４１に表示されている複数コマ（例えば、２５コマ）の静止画像のうちに最適シーン又はその近傍シーンが存在する場合はその複数コマのうちから１の静止画像が選択され、最適シーン又はその近傍シーンが存在しない場合は静止画メモリ２２２に記憶されている静止画像（例えば、１００コマの静止画像）のうちのモニタ２４１に表示される静止画像を除いたもののうちから選択されることになる。なお、本実施形態では、入力部２４２を操作することで所定の静止画像を検索するようになっている。このため、この画像検索制御部２２ｊは、入力部２４２等と共に画像検索手段を構成する。
【００６４】
検索表示制御部２２ｋは、プリントモード選択制御部２２ｆの制御動作により第２のプリントモードが選択されたとき、表示制御部２２ｄの制御動作によりモニタ２４１に表示されている複数コマ（例えば、２５コマ）の静止画像のうちの１の静止画像を指定することにより、その指定した１の静止画像を含むその１の静止画像の時系列方向の後に続く所定コマ数である複数コマ（例えば、指定した１の静止画像を含む６コマ）の静止画像を表示制御部２２ｄの制御動作によりモニタ２４１に表示される静止画像よりも大きなサイズに拡大してモニタ２４１に表示するものである。
【００６５】
このように、検索表示制御部２２ｋの制御動作により静止画像をモニタ２４１に拡大表示することで表示制御部２２ｄの制御動作によりモニタ２４１に表示されている静止画像では画像が小さくて希望する１の静止画像を選択できないという不都合が解決されることになる。なお、本実施形態では、入力部２４２を操作することで１の静止画像を指定するようになっている。このため、この検索表示制御部２２ｋは、入力部２４２等と共に検索表示制御手段を構成する。
【００６６】
コマ送り表示制御部２２ｍは、検索表示制御部２２ｋの制御動作によりモニタ２４１に拡大表示された複数コマ（例えば、６コマ）の静止画像を表示制御部２２ｄの制御動作によりモニタ２４１に表示された複数コマ（例えば、２５コマ）の静止画像の範囲内で時系列方向に沿って順次拡大して所定のコマ数単位でコマ送り表示させるものである。このコマ送り表示は、本実施形態では画面に表示されるコマ送りボタン（スクロールボタン）ＣＭ（図６，図７）を入力部２４２を構成するマウスを操作してクリックすることで実行される。このため、このコマ送り表示制御部２２ｍは、入力部２４２等と共にコマ送り表示制御手段を構成する。
【００６７】
拡大表示制御部２２ｎは、検索表示制御部２２ｋ及びコマ送り表示制御部２２ｍの制御動作によりモニタ２４１に拡大表示された複数コマ（例えば、６コマ）の静止画像のうちの１の静止画像を指定することでその指定した１の静止画像をさらに拡大してモニタ２４１に表示するものである。このように、拡大表示制御部２２ｎの制御動作により１の静止画像をモニタ２４１にさらに拡大表示することで、検索表示制御部２２ｋ及びコマ送り表示制御部２２ｍの制御動作によりモニタ２４１に拡大表示されている静止画像ではまだ画像が小さくて希望する１の静止画像を選択できないという不都合が解決されることになる。なお、本実施形態では、入力部２４２を操作することで１の静止画像を指定するようになっている。このため、この拡大表示制御部２２ｎは、入力部２４２等と共に拡大表示制御手段を構成する。
【００６８】
拡大コマ送り表示制御部２２ｐは、拡大表示制御部２２ｎの制御動作によりモニタ２４１に拡大表示された１の静止画像をファイル形式変換部２２ｃにより変換されることで得られた複数コマの静止画像のうちで静止画メモリ２２２に記憶されている静止画像を時系列方向に読み出すと共に順次拡大して１コマ単位でコマ送り表示させるものである。この拡大コマ送り表示は、本実施形態では画面に表示されるコマ送りボタン（スクロールボタン）ＣＭ（図６，図７）を入力部２４２を構成するマウスを操作してクリックすることで実行される。このため、この拡大コマ送り表示制御部２２ｐは、入力部２４２等と共に拡大コマ送り表示制御手段を構成する。
【００６９】
プリントデータ出力制御部２２ｑは、画像選択制御部２２ｅにより選択された静止画像であってプリントデータメモリ２２４に記憶されている対応する静止画データを読み出すと共に、この読み出した静止画データをプリントデータとしてプリンタ２６を構成する画像処理部１６へ出力するものである。
【００７０】
図３及び図４は、上記のように構成されたデジタル画像処理装置１０の制御動作を説明するためのフローチャートである。まず、デジタルカメラで撮影された動画像がＭＰＥＧ等の動画像ファイル形式で記録された外部記憶媒体（外部の動画記憶手段）を記録媒体駆動部２４４の装着部２４３に装着して入力部２４２を構成するキーボードに設定されているスタートキーを押すと、記録媒体駆動部２４４の駆動が開始されて動画読取制御部２２ａの制御動作により外部記憶媒体に記録されている動画像が読み出され、動画像ファイル形式のまま動画メモリ２２１に記録される（ステップＳ１）。
【００７１】
次いで、動画メモリ２２１に取り込まれた動画像について動画読取制御部２２ａにより再生処理が実行され（ステップＳ３）、この再生処理により要する時間（動画時間）から静止画メモリ２２２に記憶させる静止画の間引き数（表示間隔）が表示間隔決定部２２ｂにより決定される（ステップＳ５）。
【００７２】
次いで、動画メモリ２２１に取り込まれた動画像がファイル形式変換部２２ｃにより動画ファイル形式から静止画ファイル形式に変換される（ステップＳ７）。静止画ファイル形式に変換されることにより得られた静止画像（動画像のコマ数と同数のコマ数からなる静止画像）は一旦ＲＡＭ等の記録媒体に取り込まれたのち、ステップＳ５で決定された間引き数でコマが間引き処理されて静止画メモリ２２２に記録される（ステップＳ９）。また、この静止画メモリ２２２に記録された静止画像は、各静止画像について所定の画像データの間引き処理が行われてデータ量が削減されたものである。
【００７３】
次いで、表示制御部２２ｄにより静止画メモリ２２２に記録されている複数コマ（例えば、１００コマ）の静止画像が予め設定された所定コマ数（例えば、２５コマ）となるように等間隔で所定数のコマが間引かれて読み込まれ、その読み込まれた静止画像がモニタ２４１に時系列方向に並べた状態で表示される（ステップＳ１１）。なお、この読み込まれた静止画像は、画像表示メモリ２２３に一旦取り込まれた上でモニタ２４１に表示される。図５は、この表示画面の一例を示す図で、静止画像が最上段左端のコマ番号「００１」から最下段右端のコマ番号「０２５」に向けて時系列で表示されたものである。
【００７４】
次いで、モニタ２４１に表示されている複数コマの静止画像のすべてをプリントする第１のプリントモード及びモニタ２４１に表示されている複数コマの静止画像に関連する１の静止画像のみをプリントする第２のプリントモードの何れのプリントモードが選択されたかが制御部２２の判別機能部により判別される（ステップＳ１３）。なお、このプリントモードの選択は、モニタ２４１に所定コマ数の静止画像が表示された段階でのオペレータによる入力部２４２の操作に応じてプリントモード選択制御部２２ｆにより実行される。
【００７５】
ここで、第１のプリントモードが選択された場合、モニタ２４１に表示されている所定コマ数の静止画像のすべてがプリント制御部２２ｇにより画像処理部１６や現像処理部１８等が作動されてカット材Ｐ３に順次プリント処理され（ステップＳ１５）、最終コマのプリント処理が終了した段階で一連の制御動作は終了する。なお、このプリント処理の制御動作は、次のようにして実行される。
【００７６】
すなわち、デジタルカメラで撮影された動画像が動画メモリ２２１から読み出され、この読み出された動画像がファイル形式変換部２２ｃにより動画ファイル形式から静止画ファイル形式に変換される。そして、静止画ファイル形式に変換されることにより得られた複数コマの静止画像のうちプリントすべき静止画像に対応する静止画像（静止画データ）が画像データを間引かない状態でプリントデータとしてそのままプリントデータメモリ２２４に順次取り込まれ、このプリントデータメモリ２２４に取り込まれた静止画データに基づいて静止画像がカット材Ｐ３に順次プリント処理される。
【００７７】
また、第２のプリントモードが選択された場合、静止画メモリ２２２に記憶されている複数コマ（例えば、１００コマ）の静止画像のうちからステップＳ１１で取り込んだものと同一の静止画像が、拡大表示のためにステップＳ１１における表示の場合よりも画像データを補間することで画像データの間引き量が削減されるようにした状態で読み込まれてＲＡＭ等の記憶媒体に記憶される（ステップＳ１７）。次いで、プリントすべき静止画像に関連する１の静止画像が指定されたか否かが制御部２２の判別機能部により判別される（ステップＳ１９）。
【００７８】
この１の静止画像の指定は、オペレータによる入力部２４２の操作により実行される。このステップＳ１９で判別が否定されたときは判別が肯定されるまで待機し、判別が肯定されたときは指定されたコマ（ここでは、最初のコマであるコマ番号「００１」のコマを指定）を含むそのコマの時系列方向に連続する所定コマ数（例えば、６コマ）の静止画像が画像選択制御部２２ｅを構成する画像検索制御部２２ｊの検索表示制御部２２ｋにより最初にモニタ２４１に表示されていたサイズよりも拡大されて表示される（ステップＳ２１）。なお、この拡大表示される静止画像は一旦画像表示メモリ２２３に取り込まれ、その後に画像表示メモリ２２３から読み出されてモニタ２４１に表示されることになる。
【００７９】
図６は、この表示画面の一例を示す図で、静止画像が上段左端のコマ番号「００１」のコマから下段右端のコマ番号「００６」のコマに向けて時系列で表示されたものである。この図６では、画面の左下にコマ送りを実行させるためのコマ送りボタンＣＭが表示されると共に、画面の中央下にプリント枚数を指定するプリントボタンＰＭが表示されている。
【００８０】
次いで、コマ送り指示が行なわれたか否かが制御部２２の判別機能部により判別される（ステップＳ２３）。このコマ送り指示は、図６に示す画面に表示されているコマ送りボタンＣＭをオペレータが入力部２４２により操作することで実行される。なお、このコマ送りボタンＣＭは、順方向（符号「＋」で表示）及び逆方向（符号「−」で表示）の何れか一方を選択するようになっており、符号「＋」をクリックすることで順方向側にコマ送り可能となり、符号「−」をクリックすることで逆方向側にコマ送り可能となっている。
【００８１】
いま、ステップＳ２３での判別が肯定されると、表示制御部２２ｄの制御動作によりモニタ２４１に表示された複数コマの静止画像の範囲内（例えば、図５に示す２５コマの範囲内）で画像選択制御部２２ｅを構成する画像検索制御部２２ｊのコマ送り表示制御部２２ｍにより指定されたコマ数だけ選択された方向に順次拡大されてコマ送り表示される（ステップＳ２５）。このコマ送り表示動作が終了すると、ステップＳ２３に戻る。
【００８２】
なお、このステップＳ２５におけるコマ送り表示処理動作は、次のようにして実行される。すなわち、コマ送りボタンＣＭの操作に応じて画像表示メモリ２２３に書き込まれている静止画像のうち送り方向の先端側の静止画像が消去される一方、この消去されたコマ数と同数の新たに表示される静止画像が静止画メモリ２２２から読み込まれて画像表示メモリ２２３に書き込まれることにより画像表示メモリ２２３の記録内容が更新され、この更新された画像表示メモリ２２３から静止画像が読み出されてモニタ２４１に表示される。
【００８３】
一方、ステップＳ２３での判別が否定されると、１の静止画面についての詳細画面の表示指示が行なわれたか否かが制御部２２の判別機能部により判別される（ステップＳ２７）。なお、ステップＳ２３では、例えば入力部２４２を構成するキーボードの所定のキーが操作されることで判別が否定されて次のステップに移るように設定されている。また、ステップＳ２７における１の静止画面についての詳細画面の表示指示は、例えば図６に示すフレーム画像ＦＬ（図６では、コマ番号「００２」のコマを指定）を入力部２４２の操作により移動させた後にキーボードの所定のキーが操作されることで実行されるようになっている。
【００８４】
いま、ステップＳ２７での判別が否定されると、モニタ２４１に表示されている複数コマ（例えば、６コマ）の静止画像のうちの１の静止画像を指定することでプリントシーンが決定される（ステップＳ２９）。なお、ステップＳ２７では、例えば入力部２４２を構成するキーボードの所定のキーが操作されることで判別が否定されて次のステップに移るように設定されている。また、ステップＳ２９における１の静止画面の指定は、例えばその静止画面をクリックすることにより実行される。
【００８５】
次いで、決定されたプリントシーンの静止画像をカット材Ｐ３（図１）へプリントする第１の記録モード及びカット材Ｐ３へプリントすべき静止画像を記録媒体駆動部２４４の装着部２４３に装着された外部記憶媒体に書き込む第２の記録モードの何れの記録モードが選択されたかが制御部２２の判別機能部により判別される（ステップＳ３１）。なお、この記録モードの選択は、オペレータによる入力部２４２の操作に応じて記録モード選択制御部２２ｈにより実行される。
【００８６】
ここで、第１の記録モードが選択された場合、決定されたプリントシーンの静止画像がプリント制御部２２ｇにより画像処理部１６や現像処理部１８等が作動されてカット材Ｐ３にプリント処理され（ステップＳ３３）、一連の制御動作が終了する。なお、プリント処理時にオペレータによりプリントボタンＰＭがクリックされる等してプリント枚数が設定される。また、このプリント処理の制御動作は、次のようにして実行される。
【００８７】
すなわち、デジタルカメラで撮影された動画像が動画メモリ２２１から読み出され、この読み出された動画像がファイル形式変換部２２ｃにより動画ファイル形式から静止画ファイル形式に変換される。そして、静止画ファイル形式に変換されることで得られた複数コマの静止画像のうちステップＳ２９で決定されたプリントシーンの静止画像に対応する静止画像が画像データを間引かないでそのままＲＡＭ等の記録媒体に取り込まれ、この記録媒体に取り込まれた静止画像がカット材Ｐ３にプリント処理される。
【００８８】
また、第１の記録モードが選択された場合、動画メモリ２２１から動画像が読み出されてファイル形式変換部２２ｃにより静止画ファイル形式に変換され、その変換された静止画像のうちステップＳ２９で決定されたプリントシーンの静止画像に対応する静止画像が画像データを間引かない状態でプリントデータとしてそのままプリントデータメモリ２２４に取り込まれ（ステップＳ３５）、その取り込まれた静止画像が読み出されて記録媒体駆動部２４４の装着部２４３に装着された外部記憶媒体に静止画データであるプリントデータとして書き込まれる（ステップＳ３７）。これにより、一連の制御動作が終了する。
【００８９】
一方、ステップＳ２７での判別が肯定されると、静止画メモリ２２２に記憶されている複数コマ（例えば、１００コマ）の静止画像のすべての静止画像が、拡大表示のためにステップＳ１７における表示の場合よりも画像データを補間することで画像データの間引き量が削減されるようにした状態で読み込まれてＲＡＭ等の記憶媒体に記憶される（ステップＳ３９）。その後、ステップＳ２７で指定されたコマの静止画像が画像選択制御部２２ｅを構成する画像検索制御部２２ｊの拡大表示制御部２２ｎによりステップＳ２１で表示されたサイズよりもさらに拡大されて詳細画面としてモニタ２４１に表示される（ステップＳ４１）。なお、この拡大表示される静止画像は一旦画像表示メモリ２２３に取り込まれ、その後に画像表示メモリ２２３から読み出されてモニタ２４１に表示されることになる。
【００９０】
図７は、この表示画面の一例を示す図で、図６において指定されたコマ番号「００２」の１の静止画像のみが拡大表示されたものである。この図７では、図６に示す場合と同様に、画面の左下にコマ送りを実行させるためのコマ送りボタンＣＭが表示されると共に、画面の中央下にプリント枚数を指定するプリントボタンＰＭが表示されている。
【００９１】
次いで、コマ送り指示が行なわれたか否かが制御部２２の判別機能部により判別される（ステップＳ４３）。このコマ送り指示は、図６に示す場合と同様に、図７に示す画面に表示されているコマ送りボタンＣＭをオペレータが入力部２４２により操作することで実行される。なお、このコマ送りボタンＣＭは、順方向（符号「＋」で表示）及び逆方向（符号「−」で表示）の何れか一方を選択するようになっており、符号「＋」をクリックすることで順方向側にコマ送り可能となり、符号「−」をクリックすることで逆方向側にコマ送り可能となっている。
【００９２】
いま、ステップＳ４３での判別が肯定されると、画像選択制御部２２ｅを構成する画像検索制御部２２ｊの拡大コマ送り表示制御部２２ｐによりステップＳ３９で取り込まれた静止画像の範囲内で指定されたコマ数だけ選択された方向に順次拡大されて１コマ単位でコマ送り表示される（ステップＳ４５）。この１コマ単位でのコマ送り表示動作が終了すると、ステップＳ４５で最終的に指定されたコマを含み、ステップＳ２１で表示されるものと同数の所定コマ数（例えば、６コマ）で、かつステップＳ２１で表示されるものと同一サイズの静止画像が画像選択制御部２２ｅを構成する画像検索制御部２２ｊの検索表示制御部２２ｋによりモニタ２４１に表示される（ステップＳ４７）。この表示される静止画像は一旦画像表示メモリ２２３に取り込まれ、その後に画像表示メモリ２２３から読み出されてモニタ２４１に表示されることになる。
【００９３】
なお、このステップＳ４５におけるコマ送り表示処理動作は、次のようにして実行される。すなわち、コマ送りボタンＣＭの操作に応じて画像表示メモリ２２３に書き込まれている静止画像のうち送り方向の先端側の静止画像が消去される一方、新たに表示されるコマの静止画像がステップＳ３９で取り込まれたＲＡＭ等の記憶媒体から読み込まれて画像表示メモリ２２３に書き込まれることにより画像表示メモリ２２３の記録内容が更新され、この更新された画像表示メモリ２２３から静止画像が読み出されてモニタ２４１に表示される。このステップＳ４５におけるコマ送りは、複数コマ単位で行なわれるようになっていてもよい。要は、１乃至複数コマの所定コマ単位でコマ送り表示されるようになっておればよい。
【００９４】
また、ステップＳ４３での判別が否定されると、ステップＳ４７に移行してステップＳ４１で表示されたコマを含み、ステップＳ２１で表示されるものと同数の所定数コマ（例えば、６コマ）で、かつステップＳ２１で表示されるものと同一サイズの静止画像が画像選択制御部２２ｅを構成する画像検索制御部２２ｊの検索表示制御部２２ｋによりモニタ２４１に表示される。なお、ステップＳ４３では、例えば入力部２４２を構成するキーボードの所定のキーが操作されることで判別が否定されて次のステップに移るように設定されている。
【００９５】
そして、ステップＳ４７で所定コマ数の静止画像が表示された後はステップＳ２９に移行してプリントシーンの決定が行なわれる。この場合のプリントシーンは、ステップＳ４１あるいはステップＳ４５で指定されたものが決定されることになる。
【００９６】
本発明は、上記実施形態のように、外部記録媒体に記憶されている動画像からファイル形式変換部でファイル形式を変換して得た静止画像をモニタに表示すると共に、このモニタに表示された静止画像からプリントすべき静止画像を選択し、この選択した静止画像に対応する（関連する）静止画像であってファイル形式変換部で変換された静止画像を記録紙にプリントするようにしているので、静止画像が表示されたモニタを視認することでプリントすべき静止画像を容易に選択することができるようになると共に、その選択した静止画像を確実にプリントすることができるようになる。このため、取り扱いの容易なデジタル画像処理装置が実現されると共に、デジタル画像処理方法やデジタル画像処理プログラムを得ることができる。
【００９７】
なお、本発明は、上記実施形態のように構成されたものに限定されるものではなく、例えば以下に述べるような種々の変形態様を必要に応じて採用することができる。
【００９８】
（１）上記実施形態では、静止画メモリ２２２に記録されるコマ数は動画像のコマ数に関係なく一定値（例えば、１００コマ）に設定されているが、これに限るものではない。例えば、動画像のコマ数に対応して増減させるようにする（動画像のコマ数が多いときは記録する静止画のコマ数も多くし、動画像のコマ数が少ないときは記録する静止画のコマ数も少なくする。）こともできる。
【００９９】
（２）上記実施形態では、画像データを間引いた状態で静止画像をモニタ２４１に表示するようにしているが、これに限るものではない。例えば、モニタ２４１に表示する静止画像のコマ数が少ないような場合等では画像データを間引かないで表示することも可能である。
【０１００】
また、画像データを間引いた状態で静止画像をモニタに表示する場合、各コマ毎に所定の画像データが間引かれた状態の静止画像が静止画メモリ２２２に記憶されるようになっているが、これに限るものではない。例えば、静止画メモリ２２２に画像データを間引かないで記憶させるようにしておき、静止画像を表示制御部２２ｄ、検索表示制御部２２ｋ、コマ送り表示制御部２２ｍ、拡大表示制御部２２ｎ及び拡大コマ送り表示制御部２２ｐによりモニタ２４１に表示するときに画像データを間引くようにしてもよい。
【０１０１】
すなわち、静止画像をモニタ２４１に表示するにあたって静止画メモリ２２２から静止画像を画像表示メモリ２２３に取り込むときに画像データの間引き処理を行なうようにすればよい。この場合、表示制御部２２ｄ、検索表示制御部２２ｋ、コマ送り表示制御部２２ｍ、拡大表示制御部２２ｎ及び拡大コマ送り表示制御部２２ｐによる制御動作によりモニタ２４１に静止画像を表示させるときに画像データの間引き量を表示サイズに応じて変更するようにすればよい。
【０１０２】
（３）上記実施形態では、第２のプリントモードが選択された場合、ファイル形式変換部２２ｃにより変換されることで得られた複数コマの静止画像のうちで静止画メモリ２２２に記憶されている静止画像のうちから１の静止画像を検索するようにしているが、これに限るものではない。例えば、ファイル形式変換部２２ｃにより変換されることで得られた静止画像のうちから直接、１の静止画像を検索するようにしてもよい。
【０１０３】
（４）上記実施形態では、静止画像をカット材Ｐ３へプリントする第１の記録モード及びカット材Ｐ３へプリントすべき静止画像を記録媒体駆動部２４４の装着部２４３に装着された外部記憶媒体に書き込む第２の記録モードの何れかの記録モードを選択するようにしているが、これに限るものではない。例えば、特に指定しないときは第１の記録モードが自動選択され、指定したときにのみ第２の記録モードが選択されるようにしてもよい。
【０１０４】
（５）上記実施形態では、画像処理部１６、現像処理部１８及び乾燥処理部２０により静止画像を感光材に対し焼き付け処理（プリント）するプリンタ２６を構成しているが、これに限るものではない。例えば、インクジェット方式やインクリボン方式等の種々の方式の記録紙に静止画像を印刷（プリント）するプリンタを採用することが可能である。この場合には、静止画像をプリントするための用紙は感光材ではなく普通紙が用いられることになる。従って、本発明では、静止画像をプリントするための感光材や普通紙等の用紙を記録紙と総称する。
【０１０５】
（６）上記実施形態では、デジタル画像処理装置１０は静止画像を感光材に焼き付けるデジタル写真処理機を構成するものであるが、これに限るものではない。本発明に係るデジタル画像処理装置１０は、例えば、パーソナルコンピュータ、モニタ、及び、普通紙に印刷するためのインクジェット方式やインクリボン方式等のプリンタを組み合わせて構成された汎用のシステムや専用のシステムから構成されたものであってもよい。
【０１０６】
また、パーソナルコンピュータにプリントデータ出力制御部２２ｑから出力されるプリントデータを外部に取り出すための出力端子を設けておくことで、デジタル画像処理装置１０とすることもできる。この場合、デジタル画像処理装置１０としてのパーソナルコンピュータの出力端子から出力されるプリントデータをプリンタに送出するようにすればよい。この場合、本発明に係るデジタル画像処理方法及びデジタル画像処理プログラムとしては、静止画像を記録紙にプリントするステップを含まないものとなる。
【０１０７】
（７）上記実施形態では、外部から取り込む動画像は外部記憶手段に記憶されたものを読取部２４５により読み取るようにしたものであるが、これに限るものではない。例えば、インターネット等の通信回線や無線通信手段等を介して外部から動画像を取り込むようにしてもよい。この場合、記録媒体駆動部２４４の読取部２４５は不要となる。
【０１０８】
（８）上記実施形態では、表示制御部２２ｄによりモニタ２４１に表示されている複数コマ（例えば、２５コマ）の静止画像のうちの１の静止画像を指定することにより、検索表示制御部２２ｋによりその指定した１の静止画像を含むその１の静止画像の時系列方向の所定コマ数（例えば、６コマ）の静止画像がモニタ２４１に拡大表示されるようにし、さらに詳細画面の表示指示があったときにそのうちの１の静止画像が拡大表示制御部２２ｎによりさらに拡大表示されるようにしているが、これに限るものではない。
【０１０９】
例えば、検索表示制御部２２ｋによる拡大表示を行なわずに、表示制御部２２ｄの制御動作によりモニタ２４１に表示されている複数コマ（例えば、２５コマ）の静止画像のうちの１の静止画像を指定することにより、その指定された１の静止画像が拡大表示制御部２２ｎにより拡大表示されるようにすることもできる。この場合、この拡大表示された静止画像を拡大コマ送り表示制御部２２ｐにより時系列方向に所定コマ単位（１乃至複数コマ単位）でコマ送り表示するようにすればよい。このコマ送り表示は、例えば、モニタ２４１に表示される複数コマ（例えば、２５コマ）の静止画像の範囲内で行なうようにしてもよいし、静止画メモリ２２２に記憶されている複数コマ（例えば、１００コマ）の静止画像の範囲内で行なうようにしてもよい。
【０１１０】
また、表示制御部２２ｄによる複数コマ（例えば、２５コマ）の静止画像の表示も検索表示制御部２２ｋによる静止画像の拡大表示も行なわず、拡大表示制御部２２ｎ等の所定の表示制御部により、ファイル形式変換部２２ｃにより得られた複数コマの静止画像を１コマ単位でモニタ２４１に表示させるようにしてもよい。この１コマ単位の表示は、例えば入力部２４２の所定のキー操作により実行することができる。
【０１１１】
この場合、モニタ２４１に表示される静止画像のサイズは、例えば、上記実施形態における表示制御部２２ｄにより表示されるものでも、検索表示制御部２２ｋにより表示されるものでも、拡大表示制御部２２ｎにより表示されるものでもよい。また、このように静止画像を１コマ単位で表示させる場合、モニタ２４１に表示された静止画像を拡大コマ送り表示制御部２２ｐ等の所定のコマ送り表示制御部により時系列方向に所定コマ単位（１乃至複数コマ単位）でコマ送り表示するようにすればよい。このコマ送り表示は、例えば、静止画メモリ２２２に記憶されている複数コマ（例えば、１００コマ）の静止画像の範囲内で行なうようにすればよい。また、時系列に関係なく、入力部２４２の所定のキー操作等によりランダムに表示させるようにすることも可能である。
【０１１２】
このように、ファイル形式変換部２２ｃにより得られた複数コマの静止画像を１コマ単位でモニタ２４１に表示させるようにした場合でも、モニタ２４１を視認することでプリントすべき最適シーン乃至はその近傍シーンの静止画像を容易に選択することができるようになるため、取り扱いの容易なデジタル画像処理装置を実現することができると共に、デジタル画像処理装置等に適用されるデジタル画像処理方法やデジタル画像処理プログラムを得ることができる。
【０１１３】
なお、このようにファイル形式変換部２２ｃにより得られた複数コマの静止画像を１コマ単位でモニタ２４１に表示させる場合でも、画像データを間引いてモニタ２４１に表示させるようにし、選択した静止画像をプリントするときは動画メモリ２２１に記憶されている対応する動画像をファイル形式変換部２２ｃにより変換することで得られた静止画像をプリントするようにしてもよい。
【０１１４】
（９）上記実施形態では、動画像はＭＰＥＧ等の動画ファイル形式が採用され、各コマの画像データは基準となる画像データとの差分だけが存在する圧縮されたものとして説明しているが、これに限るものではない。例えば、本発明における動画像は、各コマの画像データが圧縮されないで全データが取り込まれた状態の連続する静止画像から構成されたものであってもよい。このように、動画像が複数コマの連続する静止画像から構成されるものである場合は、例えば、画像変換手段であるファイル形式変換部２２ｃを介さずに必要とするコマの静止画像を動画像から直接得るようにすればよい。
【０１１５】
（１０）上記実施形態では、デジタル画像処理装置１０は、デジタルカメラで撮影された動画像を静止画像に変換して記録紙にプリントするものとして説明しているが、これに限るものではない。例えば、インターネット等の通信回線を介して得た動画像やデジタルカメラ以外の外部装置から取り込んだ動画像を静止画像に変換して記録紙にプリントするようにしたものであってもよい。本発明に係るデジタル画像処理方法やデジタル画像処理プログラム等についても同様である。
【０１１６】
（１１）上記実施形態では、静止画像をモニタ２４１に表示する場合、画像データの間引かれた静止画像を表示し、静止画像を記録紙にプリントする場合、画像データの間引かれていない静止画像をプリントするようにしているが、これに限るものではない。例えば、静止画像を記録紙にプリントする場合であっても、モニタ２４１に表示する画像データの間引かれた状態の静止画像をプリントしたり、モニタ２４１に表示する静止画像よりも画像データの間引き量を削減した状態の静止画像をプリントしたりすることも可能である。
【０１１７】
（１２）本発明は、デジタル画像処理装置、デジタル画像処理方法及びデジタル画像処理プログラムに関するものであるが、これらに加えてデジタル画像処理プログラムが記録されたコンピュータ読取可能な記録媒体とすることもできる。すなわち、動画像から得た静止画像を記録紙にプリントするためのデジタル画像処理プログラムが記録されたコンピュータ読取可能な記録媒体であって、コンピュータにより請求項２７乃至３８の何れかに記載のデジタル画像処理方法を実行させるためのデジタル画像処理プログラムが記録されたコンピュータ読取可能な記録媒体とすることができる。
【０１１８】
【発明の効果】
以上説明したように、本発明は、動画記憶手段に圧縮されて記録されている動画像から画像変換手段によりファイル形式を変換して得た静止画像を動画記憶手段に記憶されている動画像のコマ数に対応して設定されたコマ数おきに静止画記憶手段に記憶させ、静止画記憶手段に記憶されている複数コマの静止画像を所定のコマ数おきに時系列方向に並べた状態でモニタに表示すると共に、静止画記憶手段に記憶されている静止画像のうちの所定のコマ数おきには表示されない静止画像でモニタに表示された静止画像のうち指定した１の静止画像に基づく静止画像をモニタ表示し、このモニタに表示された静止画像からプリントすべき所定の静止画像を選択し、この選択した静止画像に対応する静止画像であって画像変換手段により変換された静止画像を記録紙にプリントするようにしたものである。
【０１１９】
また、本発明は、動画像から得た静止画像を動画記憶手段に記憶されている動画像のコマ数に対応して設定されたコマ数おきに静止画記憶手段に記憶させ、静止画記憶手段に記憶されている複数コマの静止画像を所定のコマ数おきに時系列方向に並べた状態でモニタに表示すると共に、静止画記憶手段に記憶されている静止画像のうちの所定のコマ数おきには表示されない静止画像でモニタに表示された静止画像のうち指定した１の静止画像に基づく静止画像をモニタ表示し、このモニタに表示された静止画像からプリントすべき所定の静止画像を選択し、この選択した静止画像に対応する静止画像であって動画像から得た静止画像を記録紙にプリントするようにしたものである。
【０１２０】
また、本発明は、外部から取り込んだ動画像を複数コマの静止画像として静止画記憶手段に記憶させ、静止画記憶手段に記憶されている複数コマの静止画像を所定のコマ数おきに時系列方向に並べた状態でモニタに表示すると共に、静止画記憶手段に記憶されている静止画像のうちの所定のコマ数おきには表示されない静止画像でモニタに表示された静止画像のうち指定した１の静止画像に基づく静止画像をモニタ表示し、モニタに表示された所定コマ数の静止画像からプリントすべき所定の静止画像を画像選択手段により選択し、画像選択手段により選択されたモニタに表示されている静止画像に対応する静止画データをプリントデータとしてデータ出力手段により出力するようにしたものである。
【０１２１】
このため、取り扱いの容易なデジタル画像処理装置が実現されると共に、取り扱いの容易なデジタル画像処理装置を実現するデジタル画像処理方法及びデジタル画像処理プログラムを得ることができる。
【図面の簡単な説明】
【図１】  本発明の一実施形態に係るデジタル画像処理装置の概略構成を示す図である。
【図２】  図１に示すデジタル画像処理装置における制御部の処理動作を説明するためのブロック図である。
【図３】  図１に示すデジタル画像処理装置の処理動作を説明するためのフローチャートである。
【図４】  図１に示すデジタル画像処理装置の処理動作を説明するためのフローチャートである。
【図５】  図１に示すデジタル画像処理装置のモニタに表示される画面を示す図である。
【図６】  図１に示すデジタル画像処理装置のモニタに表示される画面を示す図である。
【図７】  図１に示すデジタル画像処理装置のモニタに表示される画面を示す図である。
【符号の説明】
１０  デジタル画像処理装置
２２  制御部
２６  プリンタ
２２１  動画メモリ（動画記憶手段）
２２２  静止画メモリ（静止画記憶手段）
２４１  モニタ
２４２  入力部
２４５  読取部
２４６  書込部
２２ａ  動画読取制御部（動画読取制御手段）
２２ｃ  ファイル形式変換部（画像変換手段）
２２ｄ  表示制御部（表示制御手段）
２２ｅ  画像選択制御部（画像選択制御手段）
２２ｇ  プリント制御部（プリント制御手段）
２２ｈ  記録モード選択制御部（記録モード選択制御手段）
２２ｉ  プリントモード選択制御部（プリントモード選択制御手段）
２２ｋ  検索表示制御部（検索表示制御手段）
２２ｍ  コマ送り表示制御部（コマ送り表示制御手段）
２２ｎ  拡大表示制御部（拡大表示制御手段）
２２ｐ  拡大コマ送り表示制御部（拡大コマ送り表示制御手段）
２２ｑ  プリントデータ出力制御部（データ出力手段）
Ｐ３  カット材（記録紙）
【図１】
0003733945.tif 000002
【図２】
0003733945.tif 000003
【図３】
0003733945.tif 000004
【図４】
0003733945.tif 000005
【図５】
0003733945.tif 000006
【図６】
0003733945.tif 000007
【図７】
0003733945.tif 000008